(57)【要約】【課題】惰性走行状態から加速状態に移行する際の、車両の駆動トルクの応答遅れを改善する。【解決手段】ＥＣＵは、アクセルオンであって（Ｓ１００にてＹＥＳ）、走行状態がコースト状態であると（Ｓ１０２にてＹＥＳ）、変速機の入力軸と回転電機との回転数差を算出するステップ（Ｓ１０４）と、算出された回転数差に基づいて回転電機に供給される電力をフィードバック制御するステップ（Ｓ１０６）と、アクセルオフであるか否かを判定するステップ（Ｓ１０８）とを含む、プログラムを実行する。【選択図】図３
2008030533.tif 000002
【特許請求の範囲】
【請求項１】
第１の駆動力源と、前記第１の駆動力源に連結され、動力の伝達方向の変化によって噛み合いが変化する回転要素が噛み合わされた動力伝達機構と、前記動力伝達機構に連結された第２の駆動力源とが搭載された車両の制御装置であって、前記動力伝達機構は、前記第１の駆動力源の出力を変速する変速機構を含み、
前記変速機構の入力軸の回転数を検知するための第１の回転数検知手段と、
前記第２の駆動力源の回転数を検知するための第２の回転数検知手段と、
前記動力伝達機構における、前記動力の伝達状態の変化に対応して、前記回転要素の回転数を基準とした、前記入力軸の回転数と前記第２の駆動力源の回転数との回転数差の絶対値が減少する駆動トルクが発現するように、前記第２の駆動力源を制御するための制御手段とを含む、車両の制御装置。
【請求項２】
前記制御装置は、
前記第１の駆動力源の駆動状態を示す第１の物理量を検知するための第１の検知手段と、
前記変速機構の駆動状態を示す第２の物理量を検知するための第２の検知手段と、
前記第１の駆動力源に対する出力要求の度合いを検出するための要求検出手段と、
前記検出された出力要求の度合いに基づいて、前記第１の駆動力源の出力が上昇したか否かを判定するための要求判定手段と、
前記検知された、第１の物理量および第２の物理量に基づいて、前記車両の走行状態が惰性走行状態であるか否かを判定するための判定手段とをさらに含み、
前記制御手段は、前記第１の駆動力源の出力が上昇したことが判定されて、かつ、前記惰性走行状態であることが判定されると、前記第２の駆動力源を制御するための手段を含む、請求項１に記載の車両の制御装置。
【請求項３】
前記第１の駆動力源は、エンジンであって、
前記変速機構は、入力軸に流体継手が連結される自動変速機構であって、
前記第１の検知手段は、前記エンジンの回転数を検知するための手段を含み、
前記第２の検知手段は、前記第１の回転数検知手段であって、
前記判定手段は、前記検知されたエンジンの回転数が前記検知された入力軸の回転数よりも小さいと、前記車両の走行状態が惰性走行状態であることを判定するための手段を含む、請求項２に記載の車両の制御装置。
【請求項４】
前記要求検出手段は、運転者によるアクセルペダルの操作量を検知するための手段を含む、請求項２または３に記載の車両の制御装置。
【請求項５】
前記要求検出手段は、前記エンジンのスロットルバルブの開度を検知するための手段を含む、請求項２または３に記載の車両の制御装置。
【請求項６】
前記第２の駆動力源は、回転電機である、請求項１〜５のいずれかに記載の車両の制御装置。
【請求項７】
前記第２の駆動力源は、前記車両の左右の駆動輪にそれぞれ独立して駆動トルクを付与する、請求項１〜６のいずれかに記載の車両の制御装置。
【発明の詳細な説明】
【技術分野】
【０００１】
本発明は、複数の駆動力源および動力の伝達方向の変化によって噛み合いが変化する回転要素が噛み合わされた動力伝達機構が搭載された車両の制御装置に関し、特に、車両の減速状態あるいは惰性走行状態から加速状態に移行する際に発生する駆動トルクの応答遅れを改善する制御に関する。
【背景技術】
【０００２】
車両に搭載され、駆動系を構成する変速機、４輪駆動用のトランスファ（４輪駆動車の場合）、プロペラシャフト、差動装置（ディファレンシャルギヤ）、ドライブシャフトおよび駆動輪などにおいては、歯車機構が用いられたり、各部品間をスプライン嵌合により連結されたりする場合がある。歯車やスプラインは、歯部と溝との噛み合いにより動力を伝達するものであって、それらの寸法公差に基づいて歯部と溝とには、間隙が少なからず生ずる。
【０００３】
特に、歯車機構においては、歯部と溝との間の間隙（バックラッシ）は、歯車を滑らかに無理なく回転させるためには必須である。このようなバックラッシは経年変化により歯面が磨耗して拡大する場合もある。
【０００４】
その一方で、上述したような歯部と溝との間隙が生じる場合、駆動系においてガタが発生することとなる。そのため、車両の走行状態が減速状態あるいは惰性走行状態から加速状態に移行する際には、歯部と溝との噛み合い方向が逆方向になるため、歯部が減速時に接触していた溝の壁面とは逆方向の溝の壁面に近づき、ガタが詰められていくこととなる。歯部が逆方向の溝の壁面と接触して、動力伝達が行なわれるまでの間は、エンジンの動力は、駆動輪に伝達されない状態となる。すなわち、駆動系のガタによりエンジントルクの上昇に対して駆動トルクの上昇に応答遅れが生じる場合がある。また、歯部が逆方向の溝の壁面に接触するとともに、伝達されるトルクにより駆動系において捩じれが発生する。そのため、駆動系の捩じれと駆動系を構成する部品の弾性とにより車両に振動が発生する場合がある。
【０００５】
このような問題に鑑みて、特開２００１−２０７９５号公報（特許文献１）は、エンジンの出力制御装置に関し、加速開始時において、車体のショックを低減するとともにアクセル操作に対するレスポンスを向上させることを可能にするエンジンの出力制御装置を開示する。この出力制御装置は、車両の駆動軸に流体継手をそなえた自動変速機を介して連結されたエンジンの出力制御装置において、エンジンの回転速度を検出するエンジン回転速度検出手段と、エンジンに要求される出力に対応した要求値に基づきエンジンを制御する制御手段とを備える。制御手段は、要求値が第１要求値から第１要求値より大きい第２要求値に変化したとき、エンジンの出力を第２要求値に対応した出力よりも小さい値に制限する制限手段と、制限手段によるエンジン出力の制限時間をエンジン回転速度に応じて可変に設定する制限時間設定手段とを備える。
【０００６】
この公報に開示された出力制御装置によると、エンジン出力の要求値が第１要求値から第１要求値より大きい第２要求値に変化したとき、エンジンの出力を第２要求値に対応した出力よりも小さな値に制限するとともにエンジン回転速度に応じた最適なタイミングでエンジン出力の制限を解除することができる。また、流体継手内部での流体の流れ方向の転換に伴うタイムラグを最小にして、運転者の加速要求に対するレスポンスを向上させることができる。さらに、駆動軸トルクのオーバーシュートを防止して車両に発生するショックを抑制することができる。
【特許文献１】特開２００１−２０７９５号公報
【発明の開示】
【発明が解決しようとする課題】
【０００７】
しかしながら、歯部と溝との間隙は、ギヤ機構あるいはスプライン嵌合の構成部品の寸法誤差により車両によって異なるばかりでなく、走行履歴が車両によって異なり、経年変化による変化量も異なる。そのため、歯部と溝との間隙には個体差が大きいという問題がある。このように個体差が大きいと、ガタ詰時の駆動トルクの応答の遅れ量についても個体差が大きいことになる。
【０００８】
上述した公報に開示された出力制御装置においては、予め実験的に得られたバックラッシ量およびエンジンのトルクの低減量に基づいて、応答遅れを低減するものであるが、バックラッシ量ばかりでなく、エンジンの性能についても個体差を有することも考慮すると、精度よく応答遅れに応じたエンジンのトルク低減制御が実施できない可能性がある。そのため、ガタ詰時の駆動トルクの応答遅れを改善することができない可能性がある。
【０００９】
本発明は、上述した課題を解決するためになされたものであって、その目的は、車両の減速状態あるいは惰性走行状態から加速状態に移行する際の、車両の駆動トルクの応答遅れを改善する車両の制御装置を提供することである。
【課題を解決するための手段】
【００１０】
第１の発明に係る車両の制御装置は、第１の駆動力源と、第１の駆動力源に連結され、動力の伝達方向の変化によって噛み合いが変化する回転要素が噛み合わされた動力伝達機構と、動力伝達機構に連結された第２の駆動力源とが搭載された車両の制御装置である。動力伝達機構は、第１の駆動力源の出力を変速する変速機構を含む。この制御装置は、変速機構の入力軸の回転数を検知するための第１の回転数検知手段と、第２の駆動力源の回転数を検知するための第２の回転数検知手段と、動力伝達機構における、動力の伝達状態の変化に対応して、回転要素の回転数を基準とした、入力軸の回転数と第２の駆動力源の回転数との回転数差の絶対値が減少する駆動トルクが発現するように、第２の駆動力源を制御するための制御手段とを含む。
【００１１】
第１の発明によると、制御手段は、動力伝達機構（たとえば、ディファレンシャルギヤ機構）における伝達状態の変化（たとえば、車両の走行状態が、減速状態または惰性走行状態に移行する際の変化）に対応して、回転要素の回転数を基準とした、変速機の入力軸の回転数と第２の駆動力源の回転数との回転数差（たとえば、検知された第２の駆動力源の回転数と、検知された入力軸の回転数に基づいて換算された第２の駆動力源における回転数との回転数差）の絶対値が減少する駆動トルクが発現するように、第２の駆動力源を制御する。車両が減速状態あるいは惰性走行状態から加速状態に移行する際、動力伝達機構における動力の伝達状態が変化する。このとき、動力の伝達方向に変化が生ずると、回転要素の噛み合いが変化する。たとえば、回転要素の噛み合いが歯部と溝とにより実現される場合、トルクの伝達方向が逆方向に変化すると、歯部と溝との噛み合い方向も逆方向に変化する。そのため、歯部が、車両の加速前に接触していた溝の壁面とは逆方向の溝の壁面に近づくことにより、ガタが逆方向に詰められていくこととなる。歯部が逆方向の溝の壁面に接触して、動力伝達が行なわれるまでの間は、第１の駆動力源（たとえば、エンジン）の動力が駆動輪に伝達されない非伝達状態となる。ガタ詰が完了するまでの動力の非伝達状態であるときにおいては、第１の駆動力源の負荷が低下する。そのため、回転要素の回転数を基準とした、変速機の入力軸の回転数と第２の駆動力源の回転数との間において、回転数差が生じることとなる。そのため、回転数差の絶対値が減少するトルクが発現するように、第２の駆動力源が制御されることにより、回転数差をゼロに近づけて、第１の駆動力源の駆動トルクによりガタ詰が行なわれるとともに、第２の駆動力源の駆動トルクにより車両が加速状態になる。そのため、運転者のアクセルペダルの操作に対して応答遅れなく車両の駆動トルクを上昇させて、車両を加速させることができる。また、第２の駆動力源により回転数差に応じた駆動トルクを発現させて応答遅れを改善するため、歯部と溝との間に寸法誤差あるいは経年変化の差による個体差が、応答遅れ改善の制御に影響を及ぼすことはない。したがって、車両が減速状態あるいは惰性走行状態から加速状態に移行する際の、車両の駆動トルクの応答遅れを改善する車両の制御装置を提供することができる。
【００１２】
第２の発明に係る車両の制御装置は、第１の発明の構成に加えて、第１の駆動力源の駆動状態を示す第１の物理量を検知するための第１の検知手段と、変速機構の駆動状態を示す第２の物理量を検知するための第２の検知手段と、第１の駆動力源に対する出力要求の度合いを検出するための要求検出手段と、検出された出力要求の度合いに基づいて、第１の駆動力源の出力が上昇したか否かを判定するための要求判定手段と、検知された、第１の物理量および第２の物理量に基づいて、車両の走行状態が惰性走行状態であるか否かを判定するための判定手段とをさらに含む。制御手段は、第１の駆動力源の出力が上昇したことが判定されて、かつ、惰性走行状態であることが判定されると、第２の駆動力源を制御するための手段を含む。
【００１３】
第２の発明によると、第１の駆動力源（たとえば、エンジン）の出力が上昇したことが判定され、かつ、惰性走行状態であることが判定されることにより、車両の走行状態が惰性走行状態から加速状態に移行したことを判定することができる。
【００１４】
第３の発明に係る車両の制御装置においては、第２の発明の構成に加えて、第１の駆動力源は、エンジンである。変速機構は、入力軸に流体継手が連結される自動変速機構である。第１の検知手段は、エンジンの回転数を検知するための手段を含む。第２の検知手段は、第１の回転数検知手段である。判定手段は、検知されたエンジンの回転数が検知された入力軸の回転数よりも小さいと、車両の走行状態が惰性走行状態であることを判定するための手段を含む。
【００１５】
第３の発明によると、エンジンの回転数が流体継手（たとえば、トルクコンバータ）の出力軸、すなわち、変速機構の入力軸の回転数よりも小さいと、エンジンから自動変速機に対してトルク伝達が行なわれていない状態である。そのため、車両の走行状態が惰性走行状態であることを判定することができる。
【００１６】
第４の発明に係る車両の制御装置においては、第２または３の発明の構成に加えて、要求検出手段は、運転者によるアクセルペダルの操作量を検知するための手段を含む。
【００１７】
第４の発明によると、運転者によるアクセルペダルの操作量を検知することにより、エンジンの出力が上昇したか否かを判定することができる。
【００１８】
第５の発明に係る車両の制御装置においては、第２または３の発明の構成に加えて、要求検出手段は、エンジンのスロットルバルブの開度を検知するための手段を含む。
【００１９】
第５の発明によると、エンジンのスロットルバルブの開度を検知することにより、エンジンの出力が上昇したか否かを判定することができる。
【００２０】
第６の発明に係る車両の制御装置においては、第１〜５のいずれかの発明の構成に加えて、第２の駆動力源は、回転電機である。
【００２１】
第６の発明によると、たとえば、制御手段が回転電機に供給される電力を制御することにより、回転電機が発現する駆動トルクを制御することができる。
【００２２】
第７の発明に係る車両の制御装置においては、第１〜６のいずれかの発明の構成に加えて、第２の駆動力源は、車両の左右の駆動輪にそれぞれ独立して駆動トルクを付与する。
【００２３】
第７の発明によると、たとえば、車両の旋回中において、車両の左右の駆動輪をそれぞれ独立して制御することにより、車両の走行状態に応じた駆動トルクを応答遅れなく発現させることができる。
【発明を実施するための最良の形態】
【００２４】
以下、図面を参照しつつ、本発明の実施の形態について説明する。以下の説明では、同一の部品には同一の符号を付してある。それらの名称および機能も同じである。したがってそれらについての詳細な説明は繰り返さない。
【００２５】
本実施の形態に係る制御装置を含む車両のパワートレーンについて説明する。本実施の形態では、自動変速機を、流体継手であるトルクコンバータと、変速機構とを有する自動変速機として説明するが、特に自動変速機に限定されるものではなく、たとえば、手動変速機が搭載される車両に本発明を適用するようにしてもよい。また、自動変速機は、有段式であってもよいし、無段式であってもよい。
【００２６】
図１を参照して、本実施の形態に係る制御装置を含む車両のパワートレーンについて説明する。本実施の形態に係る制御装置は、詳しくは図１に示すＥＣＵ（Electronic Control Unit）２００により実現される。
【００２７】
図１に示すように、この車両のパワートレーンは、第１の駆動力源であるエンジン１００と、自動変速機１０４と、ＥＣＵ２００とから構成される。
【００２８】
エンジン１００の出力軸は、自動変速機１０４の入力軸に接続される。より詳細には、自動変速機１０４は、トルクコンバータ（図示せず）と自動変速機構（図示せず）とから構成され、エンジン１００の出力軸は、トルクコンバータの入力軸に接続される。エンジン１００とトルクコンバータとは回転軸により連結されている。
【００２９】
したがって、エンジン回転数センサ２０６により検知されるエンジン１００の出力軸回転数ＮＥ（エンジン回転数ＮＥ）とトルクコンバータの入力軸回転数（ポンプ回転数）とは同じである。
【００３０】
トルクコンバータは、入力軸と出力軸とを直結状態にするロックアップクラッチと、入力軸側のポンプ羽根車と、出力軸側のタービン羽根車と、ワンウェイクラッチを有しトルク増幅機能を発現するステータとから構成される（いずれも図示せず）。トルクコンバータと自動変速機構とは、回転軸により接続される。トルクコンバータの出力軸回転数ＮＴ（タービン回転数）は、タービン回転数センサ２０８により検知される。自動変速機構の出力軸回転数ＮＯＵＴは、出力軸回転数センサ（図示せず）により検知される。
【００３１】
このような自動変速機構は、その内部に複数の摩擦要素であるクラッチやブレーキを備える。予め定められた作動表に基づいて、摩擦要素であるクラッチ要素（たとえば、クラッチＣ１〜Ｃ４）や、ブレーキ要素（たとえば、ブレーキＢ１〜Ｂ４）、ワンウェイクラッチ要素（たとえば、ワンウェイクラッチＦ０〜Ｆ３）が、要求された各ギヤ段に対応して、係合および解放されるように油圧回路（図示せず）が制御される。自動変速機構の変速ポジション（シフトポジション）には、パーキング（Ｐ）ポジション、後進走行（Ｒ）ポジション、ニュートラル（Ｎ）ポジション、前進走行（Ｄ）ポジションがある。
【００３２】
これらのパワートレーンを制御するＥＣＵ２００は、エンジン１００および自動変速機１０４を制御する。
【００３３】
ＥＣＵ２００には、出力軸回転数センサにて検知された出力軸回転数ＮＯＵＴを表す信号が入力される。また、ＥＣＵ２００には、エンジン回転数センサ２０６にて検知されたエンジン回転数ＮＥを表すエンジン回転数信号が入力される。さらに、ＥＣＵ２００には、タービン回転数センサ２０８にて検知されたタービン回転数ＮＴを表す信号が入力される。
【００３４】
エンジン回転数センサ２０６は、エンジン１００の出力軸（トルクコンバータの入力軸）に取り付けられた回転検出用ギヤの歯に対向して設けられる。出力軸回転数センサは、自動変速機構（自動変速機１０４）の出力軸に取り付けられた回転検出用ギヤの歯に対応して設けられる。タービン回転数センサ２０８は、トルクコンバータの出力軸に取り付けられた回転検出用ギヤの歯に対向して設けられる。
【００３５】
これらの回転数センサは、トルクコンバータの入力軸、トルクコンバータの出力軸および自動変速機１０４の出力軸の僅かな回転の検出も可能なセンサであり、たとえば、一般的に半導体式センサと称される磁気抵抗素子を使用したセンサである。
【００３６】
さらにＥＣＵ２００は、自動変速機１０４にソレノイド制御信号を出力する。このソレノイド制御信号に基づいて、自動変速機１０４の油圧回路（図示せず）を構成するリニアソレノイドバルブやオンオフソレノイドバルブなどが制御され、所定の変速ギヤ段（たとえば、第１速から第５速）を構成するように、摩擦係合要素が係合および解放されるように制御される。
【００３７】
また、ＥＣＵ２００には、アクセルペダル開度センサ２１２から、運転者により操作されたアクセルペダルの開度を表す信号が入力される。さらに、ＥＣＵ２００には、車輪速センサ２０２から車輪１１０の回転数を表す信号が入力される。さらに、ＥＣＵ２００には、車輪速センサ２１６から車輪１２０の回転数を表す信号が入力される。また、ＥＣＵ２００は、各種データ（しきい値、変速マップ等）やプログラムが記憶されたメモリを有する。
【００３８】
さらに、本実施の形態において、自動変速機１０４の出力軸は、プロペラシャフト１０６を介してディファレンシャルギヤ機構１０８に連結される。ディファレンシャルギヤ機構１０８の筐体内部には、車両の旋回時に左右の駆動輪１１０，１２０の回転差を吸収する機能を有するディファレンシャルギヤが収納される。ディファレンシャルギヤ機構１０８の車両幅方向の両端部には、ドライブシャフト１１２，１１８の一方端がそれぞれ連結される。ドライブシャフト１１２の他方端には車輪１１０が連結される。ドライブシャフト１１８の他方端には、車輪１２０が連結される。なお、本実施の形態において、車輪１１０，１２０は、後輪の駆動輪である。また、図示しない２つの車輪からなる前輪は、非駆動輪であって、操舵輪である。
【００３９】
また、ドライブシャフト１１２と車輪１１０およびディファレンシャルギヤ機構１０８とは、たとえば、スプライン嵌合により連結される。同様に、ドライブシャフト１１８と車輪１２０およびディファレンシャルギヤ機構１０８とは、たとえば、スプライン嵌合により連結される。
【００４０】
さらに、本実施の形態において、ドライブシャフト１１２とディファレンシャルギヤ機構１０８との間に、回転電機１１４が設けられる。ドライブシャフト１１８とディファレンシャルギヤ機構１０８との間に、回転電機１１６が設けられる。回転電機１１４は、車輪１１０に駆動力を付与し、回転電機１１６は、車輪１２０に駆動力を付与する。本実施の形態において、回転電機１１４，１１６から第２の駆動力源が構成される。また、第２の駆動力源である回転電機１１４，１１６は、車両の左右の駆動輪（車輪１１０，１２０）にそれぞれ独立して駆動トルクを付与する。
【００４１】
回転電機１１４，１１６は、回転子と固定子とから構成される（いずれも図示せず）。回転電機１１４，１１６の回転子はドライブシャフト１１２，１１８にそれぞれ固定される。回転電機１１４，１１６の固定子は、車体側（たとえば、ディファレンシャルギヤ機構１０８の筐体）に固定される。
【００４２】
回転電機１１４，１１６は、ＥＣＵ２００から受信するモータトルク制御信号に基づいて、出力がそれぞれ独立して制御される。具体的には、回転電機１１４，１１６には、それぞれ図示しない電源から供給される電力を調整する電気機器（たとえば、インバータ）が設けられ、電気機器は、ＥＣＵ２００から受信するモータトルク制御信号に対応する電力量の電力を回転電機１１４，１１６に供給する。これにより、回転電機１１４，１１６において発現する駆動トルクが制御される。なお、回転電機１１４，１１６の駆動トルク制御は、ＥＣＵ２００から送信されるモータトルク制御信号に応じたトルクが回転電機１１４，１１６において発現できれば、上述の構成に特に限定されるものではない。
【００４３】
回転電機１１４，１１６には、出力軸の回転数を検知するモータ回転数センサ２０４，２１４が設けられる。なお、モータ回転数センサ２０４，２１４として、たとえ、回転電機１１４，１１６のそれぞれ設けられる、レゾルバ等の回転角度センサを用いるようにしてもよい。
【００４４】
モータ回転数センサ２０４により検知された回転数（Ｎｍｏｔｏｒ）を表す信号がＥＣＵ２００に送信される。同様に、モータ回転数センサ２１４により検知された回転数を表す信号がＥＣＵ２００に送信される。
【００４５】
なお、本実施の形態において、回転電機１１４，１１６は、ドライブシャフト１１２，１１８に変速機構を介することなく、直接設けられる。そのため、たとえば、車両が定常走行しているときは、車輪１１０の回転数と回転電機１１４の回転数とは略同じ回転数となり、車輪１２０の回転数と回転電機１１６の回転数とは略同じ回転数となる。
【００４６】
ＥＣＵ２００は、車両の走行状態に応じて、回転電機１１４，１１６により車輪１１０，１２０に付与される駆動トルクをそれぞれ独立して制御する。
【００４７】
本実施の形態において、第１の駆動力源であるエンジン１００の動力は、自動変速機１０４、プロペラシャフト１０６、ディファレンシャルギヤ機構１０８、回転電機１１４，１１６、ドライブシャフト１１２，１１８を介して、車輪１１０，１２０に伝達される。また、第２の駆動力源である回転電機１１４，１１６は、本実施の形態においては、ディファレンシャルギヤ機構１０８とドライブシャフト１１２，１１８との間の位置にそれぞれ設けられるようにしたが、特にこの位置に限定されるものではない。
【００４８】
以上のような構成を有する車両において、本発明は、ＥＣＵ２００が、動力伝達機構における、動力の伝達状態の変化に対応して、回転要素の回転数を基準として、自動変速機構の入力軸の回転数（すなわち、タービン回転数ＮＴ）と回転電機１１４，１１６の回転数との回転数差の絶対値が減少する駆動トルクが発現するように、回転電機１１４，１１６をそれぞれ制御する点に特徴を有する。動力伝達機構は、たとえば、自動変速機１０４、ディファレンシャルギヤ機構１０８、プロペラシャフト１０６およびドライブシャフト１１２，１１８である。回転要素は、たとえば、自動変速機１０４の歯車機構、ディファレンシャルギヤ機構１０８のディファレンシャルギヤ、プロペラシャフト１０６およびドライブシャフト１１２，１１８のスプライン嵌合部である。本実施の形態において、回転要素は、エンジン１００から駆動輪１１０，１２０までの動力伝達機構において、歯部と溝との噛み合いにより動力を伝達する回転要素であれば、特に上述した部品に限定されるものではない。
【００４９】
ＥＣＵ２００は、エンジン１００の出力が上昇したことを判定し、かつ、車両の走行状態が惰性走行状態であることを判定すると、タービン回転数センサ２０８により検知されたタービン回転数ＮＴと、モータ回転数センサ２０４，２１４により検知された回転電機１１４，１１６の回転数Ｎｍｏｔｏｒとの回転数差の絶対値が減少する駆動トルクが発現するように、回転電機１１４，１１６を制御する。ここで、「惰性走行状態」とは、エンジン１００の回転数ＮＥが、タービン回転数ＮＴよりも小さい状態であって、エンジン１００の回転負荷および車両の走行抵抗により車両が減速状態となる場合を含む。
【００５０】
なお、以下の説明においては、特に回転電機１１４の制御について説明するが、回転電機１１６の制御についても回転電機１１４と同様であるため、その詳細な説明は繰り返さない。
【００５１】
ＥＣＵ２００は、回転要素を基準とした、タービン回転数ＮＴと回転電機１１４の回転数Ｎｍｏｔｏｒとの差の絶対値を算出する。回転電機１１４の回転軸と自動変速機構の入力軸との間には、自動変速機構を介して連結されている。そのため、本実施の形態においては、たとえば、タービン回転数センサにより検知された入力軸の回転数を、回転電機１１４における回転数に換算した上で、モータ回転数センサ２０４により検知された回転電機１１４の回転数との差分を算出するようにしてもよいし、あるいは、モータ回転数センサ２０４により検知された回転電機１１４の回転数を、自動変速機構の入力軸の回転数に換算した上で、タービン回転数センサ２０８により検知されたタービン回転数ＮＴとの差分を算出するようにしてもよい。
【００５２】
なお、以下の説明においては、「タービン回転数ＮＴと回転電機１１４の回転数Ｎｍｏｔｏｒとの回転数差」とは、上述のように説明した、回転要素を基準とした回転数差であって、より詳細には、自動変速機構の入力軸および回転電機１１４のうちのいずれかに換算した結果の回転数差を意味するものである。
【００５３】
以下、本実施の形態に車両の制御装置であるＥＣＵ２００の構成について、図２に示す機能ブロック図を用いて説明する。
【００５４】
図２に示すように、ＥＣＵ２００には、各種センサから信号を受信する入力インターフェース（以下、入力Ｉ／Ｆと記載する）３００と、主としてＣＰＵ（Central Processing Unit）から構成される演算処理部４００と、メモリ等により実現され、しきい値等の各種情報および各種プログラムを記憶する記憶部６００と、演算処理部４００において演算された結果に基づくモータトルク制御信号を、回転電機１１４に送信する出力インターフェース（以下、出力Ｉ／Ｆと記載する）５００とが設けられる。
【００５５】
本実施の形態において、入力Ｉ／Ｆ３００は、アクセル開度信号と、エンジン回転数信号と、タービン回転数信号と、車輪回転数信号と、モータ回転数信号とを受信する。
【００５６】
演算処理部４００は、出力要求判定部４０２と、惰性走行判定部４０４と、回転数差算出部４０６と、モータトルク制御部４０８とを含む。
【００５７】
出力要求判定部４０２は、エンジン１００に対する出力要求の度合いに基づいて、エンジン１００の出力が上昇したか否かを判定する。本実施の形態において、出力要求判定部４０２は、アクセルペダル開度センサ２１２から入力Ｉ／Ｆ３００を介して受信したアクセル開度に基づいて、エンジン１００の出力が上昇したか否かを判定する。
【００５８】
より具体的には、出力要求判定部４０２は、アクセル開度が予め定められた開度Ａ（１）以上であると、エンジン１００の出力が上昇したことを判定する。本実施の形態において、エンジン１００に対する出力要求の度合いの検出を、アクセルペダル開度センサ２１２により検知されるアクセル開度に基づいて実施されるが、特にこれに限定されるものではない。なお、予め定められたアクセル開度Ａ（１）は、エンジン１００の出力が上昇したことが判定できる開度であれば、特に限定されるものではない。
【００５９】
たとえば、エンジン１００に対する出力要求の度合いの検出を、吸気通路１０２の電子スロットルに設けられるスロットル開度センサ２１０により検知されるスロットルバルブ開度に基づいて実施するようにしてもよいし、あるいは、図示しないオートクルーズ制御部から受信される出力要求の度合いに基づいて実施するようにしてもよい。
【００６０】
また、出力要求判定部４０２は、エンジン１００の出力が上昇したことを判定すると、たとえば、出力要求判定フラグをオンし、出力が上昇していないことを判定すると、出力要求判定フラグをオフするようにしてもよい。
【００６１】
惰性走行判定部４０４は、エンジン回転数センサ２０６およびタービン回転数センサ２０８から入力Ｉ/Ｆ３００を介して受信したエンジン回転数ＮＥおよびタービン回転数ＮＴに基づいて車両の走行状態が惰性走行状態（以下、コースト状態とも記載する）であるか否かを判定する。
【００６２】
より具体的には、惰性走行判定部４０４は、エンジン回転数ＮＥがタービン回転数ＮＴよりも小さい状態であると、車両の走行状態が惰性走行状態であることを判定する。本実施の形態において、惰性走行判定部４０２は、車両の走行状態が惰性走行状態であることを判定すると、コースト状態フラグをオンする。惰性走行判定部４０４は、車両の走行状態が惰性走行状態でない（エンジン回転数ＮＥがタービン回転数ＮＴよりも大きい状態である）と判定すると、コースト状態フラグをオフする。
【００６３】
回転数差算出部４０６は、タービン回転数センサ２０８およびモータ回転数センサ２０４から入力Ｉ／Ｆ３００を介して受信したタービン回転数ＮＴおよび回転電機１１４の回転数Ｎｍｏｔｏｒに基づいて、回転数差を算出する。本実施の形態において、回転数差算出部４０６は、Ｎｍｏｔｏｒ−ＮＴの値を算出する。算出された回転数差は、一旦、記憶部６００に記憶するようにしてもよい。
【００６４】
モータトルク制御部４０８は、回転数差算出部４０６から直接的に得られた、あるいは、記憶部６００を参照することにより得られた回転数差に基づいて、モータトルク制御信号を生成する。
【００６５】
具体的には、モータトルク制御部４０８は、算出された回転数差の絶対値が減少する駆動トルクが発現する電力量の電力が回転電機１１４に供給されるように、モータトルク制御信号を生成する。
【００６６】
たとえば、モータトルク制御部４０８は、タービン回転数ＮＴが回転電機１１４の回転数Ｎｍｏｔｏｒよりも大きいと、回転数差は負の値となる。このとき、モータトルク制御部４０８は、回転電機１１４に車両の前進側の駆動トルクが付与されるようにモータトルク制御信号を生成する。タービン回転数ＮＴが回転電機１１４の回転数Ｎｍｏｔｏｒよりも小さいと、回転数差は正の値となる。このとき、モータトルク制御部４０８は、回転電機１１４が駆動トルクを発現しないようにモータトルク制御信号を生成してもよいし、回転電機１１４に車両の後進側の駆動トルクを付与するようにモータトルク制御信号を生成してもよい。
【００６７】
さらに、モータトルク制御部４０８は、回転数差の絶対値に対応した電力量の電力が回転電機１１４に供給されるようにモータトルク制御信号を生成する。モータトルク制御部４０８は、たとえば、回転数差の絶対値が大きいほど、大きい電力量の電力が回転電機１１４に供給されるようにモータトルク制御信号を生成する。
【００６８】
また、モータトルク制御部４０８は、たとえば、回転数差の絶対値と回転電機１１４に供給される電力量との関係を予めマップとして記憶しておき、算出された回転数差の絶対値とマップとに基づいて回転数差の絶対値に対応した電力量を決定するようにしてもよい。なお、マップに代えて表あるいは数式を用いるようにしてもよい。なお、マップ、表あるいは数式は、記憶部６００に予め記憶しておけばよい。
【００６９】
本実施の形態において、出力要求判定部４０２、惰性走行判定部４０４、回転数差算出部４０６およびモータトルク制御部４０８は、いずれも演算処理部４００であるＣＰＵが記憶部６００に記憶されたプログラムを実行することにより実現される、ソフトウェアとして機能するものとして説明するが、ハードウェアにより実現されるようにしてもよい。なお、このようなプログラムは記録媒体に記録されて車両に搭載される。
【００７０】
以上のような構成を有する本実施の形態に係る車両の制御装置であるＥＣＵ２００で実行されるプログラムの制御構造について図３を用いて説明する。
【００７１】
ステップ（以下、ステップをＳと記載する）１００にて、ＥＣＵ２００は、アクセルがオンされた否かを判定する。より具体的には、ＥＣＵ２００は、アクセルペダル開度センサ２１２から受信するアクセル開度が予め定められた開度Ａ（１）以上であると、出力が上昇したこと、すなわち、アクセルがオンされたことを判定する。アクセルがオンされると（Ｓ１００にてＹＥＳ）、処理はＳ１０２に移される。もしそうでないと（Ｓ１００にてＮＯ）、この処理は終了する。
【００７２】
Ｓ１０２にて、ＥＣＵ２００は、コースト状態フラグがオンであるか否かを判定する。具体的には、ＥＣＵ２００は、エンジン回転数ＮＥがタービン回転数ＮＴよりも小さいと、車両の走行状態がコースト状態であること、すなわち、コースト状態フラグがオンであることを判定する。コースト状態フラグがオンであると（Ｓ１０２にてＹＥＳ）、処理はＳ１０４に移される。もしそうでないと（Ｓ１０２にてＮＯ）、この処理は終了する。
【００７３】
Ｓ１０４にて、ＥＣＵ２００は、Ｎｍｏｔｏｒ−ＮＴの値を算出する。すなわち、ＥＣＵ２００は、モータ回転数センサ２０４から受信する回転電機１１４の回転数Ｎｍｏｔｏｒと、タービン回転数センサ２０８から受信するタービン回転数ＮＴとの回転数差を算出する。
【００７４】
Ｓ１０６にて、ＥＣＵ２００は、フィードバック制御を実施する。具体的には、ＥＣＵ２００は、算出された回転数差に対応する方向および大きさの駆動トルクが発現するモータトルク制御信号を生成して、回転電機１１４を制御する。
【００７５】
Ｓ１０８にて、ＥＣＵ２００は、アクセルがオフされたか否かを判定する。より具体的には、ＥＣＵ２００は、アクセルペダル開度センサ２１２から受信するアクセル開度が予め定められた開度Ａ（１）より小さいと、アクセルがオフされたことを判定する。アクセルがオフされると（Ｓ１０８にてＹＥＳ）、この処理は終了する。もしそうでないと（Ｓ１０８にてＮＯ）、処理はＳ１０４に移される。
【００７６】
以上のような構造、機能ブロックの構成およびフローチャートに基づく、本実施の形態に係る車両の制御装置であるＥＣＵ２００の動作について、図４および図５を参照しつつ説明する。
【００７７】
（１）回転数差に応じた回転電機１１４，１１６の駆動トルク制御が実施されない場合
運転者がアクセルペダルを踏み込んでいない状態で車両が直進走行している状態を想定する。このとき、アクセル開度は略ゼロの状態となる。なお、回転電機１１６の動作は、回転電機１１４と同様であるため、その詳細な説明は繰り返さない。
【００７８】
アクセル開度が略ゼロの状態であると、車両に作用する駆動トルクは、図４（Ａ）に示すように、車体の空気抵抗、車輪の転がり抵抗および駆動系の摩擦抵抗等を含む走行抵抗およびエンジン１００の回転負荷により、減速側のトルク（負トルク）Ｔｄ（１）となる。また、アクセル開度が略ゼロの状態であるため、エンジン回転数は、アイドリング時の回転数となる。
【００７９】
時間Ｔ（０）において、運転者によりアクセルペダルが踏み込まれると、アクセル開度は時間の経過とともに増加していく。アクセル開度の増加とともに、エンジン回転数が増加していく。さらに、エンジン回転数の上昇に伴って、図４（Ａ）の破線に示すように、時間Ｔ（０）から時間Ｔ（１）において、自動変速機１０４に伝達されるエンジントルクが増加するため、駆動トルクが上昇を開始する。
【００８０】
図４（Ａ）の実線に示すように、時間Ｔ（１）から時間Ｔ（２）において、車両に作用する駆動トルクが減速側のトルクから加速側のトルク（正トルク）に切り替わる期間となる。この期間中、エンジントルクが上昇しても、車両に前進方向の駆動トルクが作用しない状態となる。これは、ドライブシャフトとハブとのスプライン嵌合部あるいはディファレンシャルギヤ機構１０８等を構成する歯車機構において、動力が伝達される方向が逆方向となることによりガタ（歯部と溝との間隙、バックラッシ）が詰まるためである。
【００８１】
より具体的には、スプライン嵌合部あるいはギヤ機構において、歯部と溝との噛み合い方向が逆方向になる。そのため、歯部が減速時に接触していた溝の壁面とは逆方向の溝の壁面に近づくことにより、ガタは減速時とは逆方向に詰められていくこととなる。ガタの詰まりが完了するまでの期間中、エンジン１００から伝達されるトルクは、車輪１１０，１２０に伝達されない。
【００８２】
このとき、自動変速機構の入力軸の回転数は、ガタ詰が完了するまで負荷が減少することから増大する。そのため、図４（Ｂ）に示すように、入力軸の回転数と回転電機１１４の回転数との間において、回転数に差が生じることとなる。このとき、Ｎｍｏｔｏｒ−ＮＴの値が負方向に増加しているため、入力軸の回転数が回転電機１１４の回転数よりも大きい状態である。
【００８３】
時間Ｔ（２）において、ガタ詰が完了したときに、エンジン１００から伝達されるトルクが車輪１１０，１２０に伝達されるため、図４（Ａ）に示すように、車両に作用する駆動トルクが正トルク側に急激に立ち上がる。
【００８４】
運転者がアクセルペダルを踏み込んだ後、非伝達状態となる期間（時間Ｔ（１）−時間Ｔ（２））を経過後に、駆動トルクが上昇して、車両が加速を開始するため、応答遅れが生じる。
【００８５】
（２）回転数差に応じた回転電機１１４，１１６の駆動トルク制御が実施される場合
運転者がアクセルペダルを踏み込んでいない状態で車両が直進走行している場合を想定する。このとき、アクセル開度は略ゼロの状態となる。なお、回転電機１１６の動作は、回転電機１１４と同様であるため、その詳細な説明は繰り返さない。
【００８６】
アクセル開度が略ゼロの状態であると、車両に作用する駆動トルクは、図５（Ａ）に示すように、車体の空気抵抗、車輪の転がり抵抗および駆動系の摩擦抵抗等を含む走行抵抗およびエンジン１００の回転負荷により、減速側のトルク（負トルク）Ｔｄ（１）となる。また、アクセル開度が略ゼロの状態であるため、エンジン回転数は、アイドリング時の回転数となる。このとき、タービン回転数は、エンジン回転数よりも高い。
【００８７】
時間Ｔ（０）において、運転者によりアクセルペダルが踏み込まれると、アクセル開度は、時間の経過とともに増加していき、予め定められた開度Ａ（１）以上となる（Ｓ１００にてＹＥＳ）。また、アクセルペダルが踏み込まれた時点において、タービン回転数ＮＴは、エンジン回転数ＮＥよりも高く、車両の走行状態は、コースト状態であるため、コースト状態フラグがオンされる（Ｓ１０２にてＹＥＳ）。
【００８８】
アクセル開度の増加とともに、エンジン回転数ＮＥが増加していく。さらに、エンジン回転数ＮＥの上昇に伴って、図５（Ａ）に示すように、時間Ｔ（０）から時間Ｔ（１）において、自動変速機１０４に伝達されるエンジントルクの増加に伴って、駆動トルクが上昇を開始する。
【００８９】
図５（Ａ）に示すように、時間Ｔ（１）から時間Ｔ（２）において、車両に作用する駆動トルクが減速側のトルクから加速側のトルク（正トルク）に切り替わる期間となる。この期間中、エンジントルクが上昇しても、車両に前進方向の駆動力が作用しない状態となる。これは、ドライブシャフトとハブとのスプライン嵌合部あるいはディファレンシャルギヤ機構１０８等のギヤ機構において、動力が伝達される方向が逆方向となることによりガタ（歯部と溝との間隙、バックラッシ）が詰まるためである。
【００９０】
より具体的には、スプライン嵌合部あるいはギヤ機構において、歯部と溝との噛み合い方向が逆方向になる。そのため、歯部が減速時に接触していた溝の壁面とは逆方向の溝の壁面に近づくことにより、ガタは減速時とは逆方向に詰められていくこととなる。ガタの詰まりが完了するまでの期間中は、エンジン１００から伝達されるトルクは、車輪１１０，１２０に伝達されない。
【００９１】
このとき、自動変速機構の入力軸の回転数は、ガタ詰が完了するまで負荷が減少することから増大する。そのため、図５（Ｂ）に示すように、入力軸の回転数と回転電機１１４の回転数との間において、回転数に差が生じることとなる（Ｓ１０４）。このとき、Ｎｍｏｔｏｒ−ＮＴの値が負方向に増加しているため、入力軸の回転数が回転電機１１４の回転数よりも大きい状態である。
【００９２】
そのため、図５（Ｃ）に示すように、回転電機１１４においては、回転数差に応じて、回転数差の絶対値が減少する方向の駆動トルクが発現する（Ｓ１０６）。具体的には、回転電機１１４の回転数を増加する方向、すなわち、車両の前進側の駆動トルク（正トルク）が回転電機１１４において発現する。回転数差の絶対値が大きくなるほど、回転電機１１４において発現する駆動トルクの大きさは大きくなる。
【００９３】
そのため、図５（Ａ）に示すように、時間Ｔ（１）〜Ｔ（２）の、ガタの詰まりが開始されて、完了するまでの期間においても、前進側の駆動トルクが発現する。これにより、車両の走行状態が、惰性走行状態から加速状態に移行する際に、アクセルペダルの操作量の増加に対する駆動トルクの上昇の応答遅れが改善される。
【００９４】
また、回転数差に応じた回転電気の駆動トルク制御は、アクセルオフされると終了する（Ｓ１０８にてＹＥＳ）。
【００９５】
以上のようにして、本実施の形態に係る車両の制御装置によると、車両が減速状態あるいは惰性走行状態から加速状態に移行する際、動力伝達機構における動力の伝達状態が変化する。このとき、動力の伝達方向に変化が生ずると、回転要素の噛み合いが変化する。たとえば、回転要素の噛み合いが歯部と溝とにより実現される場合、トルクの伝達方向が逆方向に変化すると、歯部と溝との噛み合い方向も逆方向に変化する。そのため、歯部が、車両の加速前に接触していた溝の壁面とは逆方向の溝の壁面に近づくことにより、ガタが逆方向に詰められていくこととなる。歯部が逆方向の溝の壁面に接触して、動力伝達が行なわれるまでの間は、第１の駆動力源（たとえば、エンジン）の動力が駆動輪に伝達されない非伝達状態となる。ガタ詰が完了するまでの動力の非伝達状態であるときにおいては、回転要素の回転数を基準とした、変速機の入力軸の回転数と第２の駆動力源の回転数との間において、回転数差が生じることとなる。そのため、回転数差の絶対値が減少するトルクが発現するように、第２の駆動力源が制御されることにより、回転数差をゼロに近づけて、第１の駆動力源の駆動トルクによりガタ詰が行なわれるとともに、第２の駆動力源の駆動トルクにより車両が加速状態になる。そのため、運転者のアクセルペダルの操作に対して応答遅れなく車両を加速させることができる。また、第２の駆動力源により回転数差に応じた駆動トルクを発現させて応答遅れを抑制するため、歯部と溝との間に寸法誤差あるいは経年変化の差による個体差が、応答遅れ抑制の制御に影響を及ぼすことはない。したがって、車両が減速状態あるいは惰性走行状態から加速状態に移行する際の、車両に発生する応答遅れを改善する車両の制御装置を提供することができる。
【００９６】
さらに、エンジンの出力が上昇したことが判定され、かつ、惰性走行状態であることが判定されることにより、車両の走行状態が、惰性走行状態から加速状態に移行したことを判定することができる。
【００９７】
また、エンジンの回転数が流体継手（たとえば、トルクコンバータ）の出力軸の回転数よりも小さいと、エンジンから自動変速機に対してトルク伝達が行なわれていない状態である。そのため、車両の走行状態が惰性走行状態であることを判定することができる。
【００９８】
また、たとえば、車両の旋回中においては、左右輪の回転数は異なるため、回転電機１１４，１１６により、車両の左右の駆動輪をそれぞれ独立して制御することにより、車両の走行状態に応じた駆動トルクを応答遅れなく発現させることができる。
【００９９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１００】
【図１】本実施の形態に係る車両の制御装置が搭載される車両のパワートレーンの構成を示す図である。
【図２】本実施の形態に係る車両の制御装置であるＥＣＵの構成を示す機能ブロック図である。
【図３】本実施の形態に係る車両の制御装置であるＥＣＵで実行されるプログラムの制御構造を示すフローチャートである。
【図４】回転数差に応じた回転電機のトルク制御を実施しない場合のタイミングチャートである。
【図５】回転数差に応じた回転電機のトルク制御を実施する場合のタイミングチャートである。
【符号の説明】
【０１０１】
１００  エンジン、１０２  吸気通路、１０４  自動変速機、１０６  プロペラシャフト、１０８  ディファレンシャルギヤ機構、１１０，１２０  車輪、１１２，１１８  ドライブシャフト、１１４，１１６  回転電機、２００  ＥＣＵ、２０２，２１６  車輪速センサ、２０４，２１４  モータ回転数センサ、２０６  エンジン回転数センサ、２０８  タービン回転数センサ、２１０  スロットル開度センサ、２１２  アクセルペダル開度センサ、３００  入力Ｉ／Ｆ、４００  演算処理部、４０２  出力要求判定部、４０４  惰性走行判定部、４０６  回転数差算出部、４０８  モータトルク制御部、５００  出力Ｉ／Ｆ、６００  記憶部。
【図１】
2008030533.tif 000003
【図２】
2008030533.tif 000004
【図３】
2008030533.tif 000005
【図４】
2008030533.tif 000006
【図５】
2008030533.tif 000007